(57)【特許請求の範囲】
【請求項１】
帯状の台紙にラベルが仮着された記録紙において、
前記ラベルの一部に突起部を有する第一のラベルと、第一のラベルを１８０度回転させた第二のラベルとが、一組の第一のラベルの突起部と第二のラベルの突起部が重複するように向き合っているとともに、幅を揃えた状態で長手方向に連接されながら形成されていることを特徴とする記録紙。
【発明の詳細な説明】
【技術分野】
【０００１】
本発明は、帯状の台紙に突起部を有するラベルが仮着された記録紙を発行させる場合に、記録紙を無駄にすることなく発行させることができる環境に優しい記録紙の発行方法に関するものである。
【背景技術】
【０００２】
近年、レジ精算の簡便化のために、文字情報としての価格表示とともに光学的に読み取り可能なバーコード表示が使用されている。タイムサービスなどのように商品価格割引を行うために、値札を書換えようとするときに、旧価格表示を書換えるとともにバーコード表示も書換える必要がある。
【０００３】
その場合に、旧価格表示との対比ができ、需要者の購買意欲が向上するように、割引前の旧値札のバーコード以外の表示を隠蔽することなく、割引前の旧値札のバーコードの少なくとも縦一列のみを隠蔽できる部分を備えた価格書換え用シールが開示されている。そして、帯状の台紙に連続して粘着剤を介して隠蔽できる部分を備えた価格書換え用シールが貼り合わせて配列され、バーコードプリンタにて発行される。
【特許文献１】特開２００５−１２１７２１号公報
【発明の開示】
【発明が解決しようとする課題】
【０００４】
しかしながら、特許文献１のように配列された隠蔽できる部分を備えた価格書換え用シールをバーコードプリンタで印字発行させる場合に、隠蔽できる部分の残りの部分もカス取りをしなければならない。また、隠蔽できる部分の長さだけ価格書換え用シールの幅も大きくなってしまうという問題が生じた。
【０００５】
特許文献１に記載された価格書換え用シールのプリント前の状態を示す斜視図を図５を用いて詳細に説明する。図５において、帯状の台紙１０１に連続して粘着剤を介して貼り合わされて配列された隠蔽できる部分１００ａを備えた価格書換え用シール１００をバーコードプリンタにて発行させる場合には、ダイカットして隠蔽できる部分１００ａの右肩部分（残りの部分）１００ｂの部分もカス取りをして隠蔽できる部分を備えた価格書換え用シール１００を形成しなければならず、返ってカス取りの量が多くなって環境に優しい価格書換え用シール１００とは言えなかった。
【０００６】
本発明の目的は、この点を鑑みて、帯状の台紙に突起部を有するラベルが仮着された記録紙を発行させる場合に、記録紙を無駄にすることなく発行させることができる環境に優しい記録紙の発行方法を提供することにある。
【課題を解決するための手段】
【０００８】
上記の課題を解決するために、請求項１に記載の記録紙は、帯状の台紙にラベルが仮着された記録紙において、前記ラベルの一部に突起部を有する第一のラベルと、第一のラベルを１８０度回転させた第二のラベルとが、一組の第一のラベルの突起部と第二のラベルの突起部が重複するように向き合っているとともに、幅を揃えた状態で長手方向に連接されながら形成されていることである。
【発明の効果】
【００１０】
請求項１に記載の記録紙は、帯状の台紙にラベルが仮着された記録紙において、前記ラベルの一部に突起部を有する第一のラベルと、第一のラベルを１８０度回転させた第二のラベルとが、一組の第一のラベルの突起部と第二のラベルの突起部が重複するように向き合っているとともに、幅を揃えた状態で長手方向に連接されながら形成されているので、第一のラベルと第二のラベルの突起部が重複している長さだけ記録紙を短くすることができる。
【発明を実施するための最良の形態】
【００１１】
以下に図面を参照して、本発明の好ましい実施の形態について説明する。図１は、本発明の実施の形態に係る記録紙が発行される前の斜視図である。図１において、記録紙１は、帯状の台紙２と突起部３ａを有する第一のラベル３と突起部４ａを有する第二のラベル４とで構成されている。ここで、第二のラベル４は、第一のラベル３を１８０度回転させたものである。
【００１２】
突起部３ａは、第二のラベル４の一辺４ｂに当接するように第一のラベル３の一辺３ｂの一部に形成され、一方、突起部４ａは、第一のラベル３の一辺３ｂに当接するように第二のラベル４の一辺４ｂの一部に形成されている。また、第一のラベル３と第二のラベル４の裏面には粘着剤が塗布され、第一のラベル３と第二のラベル４が長手方向（発行方向）に交互に連接されながら台紙２に仮着されている。
【００１３】
次に、第一のラベル３と第二のラベル４の形成方法について説明する。幅広の原反から帯状の記録紙１にカットし、第一のラベル３と第二のラベル４の厚さより若干台紙２に食い込む程度にダイカットすることにより、突起部３ａを有する第一のラベル３と突起部４ａを有する第二のラベル４が形成される。そうすると、第一のラベル３と第二のラベル４は、長手方向に同一幅となって台紙２から容易に剥離されるようになり、仮着された状態となる。そして、抜き型で記録紙１のカス部分を打ち抜くことによって開口部５が形成され、開口部５のカスのみが排出されるだけであるので、環境に優しい記録紙１をバーコードプリンタで発行することができる。
【００１４】
図２は、印字手段の要部断面図である。図２において、印字手段は、サーマルヘッド６とプラテン７から構成され、サーマルヘッド６はプラテン７に弾接されている。また、プラテン７には、ステッピングモータ（図示なし）が連結され、ステッピングモータ（図示なし）を駆動させることにより、記録紙１はサーマルヘッド６とプラテン７に挟持されて印字されながら発行される。
【００１５】
図３は、第一のラベルと第二のラベルの縁がカス取りされた記録紙の発行される前の斜視図である。図１と重複する部分については、説明を省略する。帯状にカットされた記録紙２１から、第一のラベル２３の突起部２３ａと第二のラベル２４の突起部２４ａが向き合うように第一のラベル２３と第二のラベル２４の縁がカス取りされて台紙２に仮着されている。
【００１６】
図４は、本発明の他の実施の形態に係る記録紙が発行される前の斜視図である。図１と重複する部分については、説明を省略する。図４において、記録紙１１は、帯状の台紙１２と突起部１３ａを有する第一のラベル１３と突起部１４ａを有する第二のラベル１４とで構成されている。突起部１３ａは、第二のラベル１４の一辺１４ｂに当接するように第一のラベル１３の一辺１３ｂの一部に形成され、一方、突起部１４ａは、第一のラベル１３の一辺１３ｂに当接するように第二のラベル１４の一辺１４ｂの一部に形成され、さらに、突起部１３ａと突起部１４ａが向き合ったときの第一のラベル１３と第二のラベル１４の幅が同じになるように形成されている。
【００１７】
突起部１３ａと突起部１４ａが向き合った状態の一組の第一のラベル１３と第二のラベル１４が長手方向（発行方向）に向き合った状態で連接されながら台紙１２に仮着されている。また、本発明の他の実施の形態では、第一のラベルの突起部と第二のラベルの突起部が向き合うように第一のラベルと第二のラベルの縁がカス取りされて台紙１２に仮着されている記録紙について、示されていないが同様に適用することができる。
【図面の簡単な説明】
【００１８】
【図１】本発明の実施の形態に係る記録紙が発行される前の斜視図である。
【図２】印字手段の要部断面図である。
【図３】第一のラベルと第二のラベルの縁がカス取りされた記録紙の発行される前の斜視図である。
【図４】本発明の他の実施の形態に係る記録紙が発行される前の斜視図である。
【図５】従来の価格書換え用シールのプリント前の状態を示す斜視図である。
【符号の説明】
【００１９】
１、１１、２１    記録紙
２、１２    台紙
３、１３、２３    第一のラベル
３ａ、１３ａ、２３ａ    突起部
３ｂ、１３ｂ    第一のラベルの一辺
４、１４、２４    第二のラベル
４ａ、１４ａ、２４ａ    突起部
４ｂ、１４ｂ    第二のラベルの一辺
５、１５    開口部
６    サーマルヘッド
７    プラテン
１００    価格書換え用シール
１００ａ    隠蔽できる部分
１００ｂ    右肩部分（残りの部分）
１０１    台紙
【図１】
0005358097.tif 000002
【図２】
0005358097.tif 000003
【図３】
0005358097.tif 000004
【図４】
0005358097.tif 000005
【図５】
0005358097.tif 000006